(57)【要約】【課題】省エネルギーを実現しつつ、輝度の差が小さい照明装置を提供する。【解決手段】  照明装置１である。そして、光源２と、光源２の点灯及び消灯を制御する制御部３と、光源２からの光の一部を透過するとともに残りの光の光エネルギーを蓄積する蓄光板４と、を備えている。照明装置１は、光源２の点灯時には、透過した光の一部及び蓄積された光エネルギーによる光が照射され、光源２の消灯時には、蓄積された光エネルギーによる光が照射されるように制御される。【選択図】図１
2016085833.tif 000002
【特許請求の範囲】
【請求項１】
照明装置であって、
光源と、
前記光源の点灯及び消灯を制御する制御部と、
前記光源からの光の一部を透過するとともに残りの光の光エネルギーを蓄積する蓄光板と、を備え、
前記制御部は、前記光源をパルス状に発光させることを特徴とする、照明装置。
【請求項２】
前記制御部は、消灯時間に対して点灯時間が７％〜１５％となるように、前記光源をパルス状に発光させることを特徴とする、請求項１に記載された照明装置。
【請求項３】
前記制御部は、点灯時間が０．８ミリ秒〜２．０ミリ秒となるように前記光源を発光させることを特徴とする、請求項２に記載された照明装置。
【請求項４】
前記光源は、ＬＥＤであることを特徴とする、請求項１乃至請求項３のいずれか一項に記載された照明装置。
【請求項５】
前記蓄光板と前記ＬＥＤとの間において前記蓄光板と平行に配置されて、前記ＬＥＤから入射した光を拡散しつつ透過する拡散透過板をさらに備え、
前記ＬＥＤは、前記拡散透過板の板面に平行な向きに配置されることを特徴とする、請求項４に記載された照明装置。
【請求項６】
前記照明装置は、看板、非常灯、避難誘導灯、屋外照明、又は屋内照明のいずれかであることを特徴とする、請求項１乃至請求項５のいずれか一項に記載された照明装置。
【発明の詳細な説明】
【技術分野】
【０００１】
本発明は、蓄光板を備える照明装置に関するものである。
【背景技術】
【０００２】
従来、非常時における避難経路等の情報を表示する避難誘導灯が知られている。このような避難誘導灯は、夜間や暗い場所でも表示部を認識できるように電気を用いる光源を備えている。
【０００３】
しかしながら、従来の避難誘導灯は、災害時には停電によって光源が機能せず、避難誘導灯としての役目を果たさなくなる場合があった。
【０００４】
このような問題点に鑑みて、特許文献１の標識案内板は、導光板に残光性蛍光体で表示パターンが形成され、残光性蛍光体を励起可能な光を発する光源を備えている。このような構成によって、停電時でも表示部を見ることができる標識案内板になっている。
【先行技術文献】
【特許文献】
【０００５】
【特許文献１】特開平９−１４６４８２号公報
【発明の概要】
【発明が解決しようとする課題】
【０００６】
しかしながら、前述した特許文献１の標識案内板は、１時間に１０秒だけ点灯するようにしているため、視認可能ではあるものの時間とともに輝度が低下してしまう。このため、明るい状態と暗い状態の輝度の差が大きく、照明装置としては不十分なものであった。
【０００７】
そこで、本発明は、省エネルギーを実現しつつ、輝度の差が小さい照明装置を提供することを目的としている。
【課題を解決するための手段】
【０００８】
前記目的を達成するために、本発明の照明装置は、光源と、前記光源の点灯及び消灯を制御する制御部と、前記光源からの光の一部を透過するとともに残りの光の光エネルギーを蓄積する蓄光板と、を備え、前記制御部は、前記光源をパルス状に発光させることを特徴とする。
【発明の効果】
【０００９】
このように、本発明の照明装置は、光源と制御部と蓄光板とを備え、制御部は光源をパルス状に発光させる。このため、省エネルギーであり、かつ、輝度の差が小さい照明装置となる。これは、光源の点灯時のパルス状（高速）点滅による眼の錯覚と、消灯時の蓄光板の発光による穴埋め作用とによる。
【図面の簡単な説明】
【００１０】
【図１】実施例の照明装置の斜視図である。
【図２】実施例の照明装置の分解斜視図である。
【図３】実施例の照明装置の作用を説明する説明図である。（ａ）は電気を通電中の状態であり、（ｂ）は電気を遮断した状態である。
【図４】従来例の照明装置の照度を示したグラフである。
【図５】実施例の照明装置の照度を示したグラフである。
【図６】照度を比較したグラフである。
【発明を実施するための形態】
【００１１】
以下、本発明の実施の形態について図面を参照して説明する。
【実施例】
【００１２】
（構成）
まず、図１、２を用いて本実施例の照明装置１の構成を説明する。本実施例の照明装置１は、図１、２に示すように、光源としてのＬＥＤ２と、ＬＥＤ２の点灯及び消灯を制御する制御部３と、ＬＥＤ２からの光を反射する反射ユニット５と、ＬＥＤ２からの光の一部を透過するとともに残りの光の光エネルギーを蓄積する蓄光板４と、これらの各要素を収容する合成樹脂製又は金属製の筐体６と、を備えている。
【００１３】
光源としてのＬＥＤ２（発光ダイオード）としては、赤色、緑色、青色等の色のものがある。本実施例では、白色、紫外線ＬＥＤを採用している。なお、光源は、必ずしも発光ダイオードでなくてもよいが、省エネルギーである点から発光ダイオードであることが好ましい。さらに、点灯と同時に最大光量が得られる点からも、パルス状に発光させる本実施例の光源として好ましい。なお、説明の便宜上、１つのＬＥＤ２について説明したが、もちろん、複数のＬＥＤを配置することもできる。例えば、縦５７０ｍｍ×横４７０ｍｍの看板では、６個のＬＥＤを配置することが好ましい。
【００１４】
制御部３は、光源としてのＬＥＤ２の点灯及び消灯を制御するものであり、抵抗、コンデンサ、トランジスタなどを組み合わせて構成することができる特定用途のコントローラである。もちろん、制御部３は、汎用の（半導体）集積回路などを用いて構成することもできる。制御部３によるＬＥＤ２の制御の具体的な内容については「作用」の欄にて後述する。
【００１５】
反射ユニット５は、側面のコ字状の反射板５２、・・・と、背面の平板の反射板５３と、正面の平板の拡散透過板５１と、を備えており、これらが組み合わされて閉じた空間を構成するようになっている。側面の反射板５２のうちの１つには、光源としてのＬＥＤ２を配置するための小孔が設けられている。
【００１６】
したがって、ＬＥＤ２から横方向（拡散透過板５１に垂直な方向）に放出された光は、反射ユニット５の中で何度も反射を繰り返しながら、拡散透過板５１を通じて蓄光板４の配置された方向に拡散されていく。
【００１７】
拡散透過板５１は、ＬＥＤ２から表面に入射してきた光を、拡散しつつ透過するものであり、表面に微細な凹凸を有する透明又は半透明のガラス製又は合成樹脂製の平板部材である。拡散透過板５１は、蓄光板４に平行に配置されている。この拡散透過板５１が存在することによって、ＬＥＤ２から放出された光の向きを変えることができるとともに、光を拡散してムラなくできる。
【００１８】
蓄光板４は、蓄光顔料を含む合成樹脂製の平板部材である。蓄光板４は、蓄光顔料を含む蓄光層とアクリル層とから構成される。蓄光顔料としては、硫化亜鉛系やアルミン酸ストロンチウム系のものが知られており、外部の光源から照射された光を蓄える性質がある。ただし、時間とともに輝度は低下していく。例えば、光を照射されて光蓄積の飽和状態では、約２０００（ｍｃｄ／ｍ２）の輝度があるが、時間とともに輝度は低下していき、１０分後には、約１／３の５００（ｍｃｄ／ｍ２）まで急激に低下する。再び輝度を上昇させるためには、再度、光を照射する必要がある。
【００１９】
（作用）
次に、図３〜６を用いて、制御部３による照明装置１の制御方法について説明する。まず、図３（ａ）（ｂ）を用いて、電気を通電してＬＥＤ２を点灯させている状態と（図３（ａ））、電気を遮断してＬＥＤ２を消灯させている状態と（図３（ｂ））について説明する。
【００２０】
ＬＥＤ２を点灯させると、図３（ａ）に示すように、反射ユニット５において反射板５２、５３で反射された光は、拡散透過板５１を通じて拡散されて蓄光板４に照射される。したがって、蓄光板４は、蓄光した光及び透過する光の両方を外部に照射する。
【００２１】
ＬＥＤ２を消灯させると、図３（ｂ）に示すように、光は反射ユニット５に照射されず、拡散透過板５１を通じて蓄光板４を照射することもない。したがって、蓄光板４は、通電中に蓄光した光のみを外部に照射する。
【００２２】
そして、本実施例では、上述の点灯／消灯を瞬時に切り替えることで、ＬＥＤ２をパルス状に発光させる。具体的には、消灯時間に対して点灯時間が７％〜１５％となるように、好ましくは約７％となるように、ＬＥＤ２を制御する。例えば、消灯時間１．２（ミリ秒）に対して点灯時間８．８（ミリ秒）とすることが好ましい。点灯時間は、０．８（ミリ秒）〜２．０（ミリ秒）とすることが好ましい。
【００２３】
次に、ＬＥＤ２をパルス状に発光させることの意義を説明する。図４は、パルス状に点滅させない場合であり、例えば、点灯が１分で消灯が３０分の場合である。この場合、照度グラフに示すように、明暗がはっきりとしてしまうため、照明としては不十分である。一方、図５は、パルス状に点滅させる場合であり、例えば、点灯が１（ミリ秒）で消灯が３０（ミリ秒）の場合である。この場合、照度グラフに示すように、明暗の区別はほとんどわからない。すなわち、実際には光源は点滅しているものの、人間の眼で見ると連続して点灯しているように見える。これは、高速点滅（パルス状の点滅）による眼の錯覚と、消灯時の蓄光顔料の発光による穴埋め作用と、による。ただし、図６に示すように、パルス状に点滅させない場合と比べると、明暗の差は小さくなるものの、ピーク輝度（輝度の最大値）の値は小さい値となる。
【００２４】
（効果）
次に、本実施例の照明装置１の奏する効果を列挙して説明する。
【００２５】
（１）本実施例の照明装置１は、光源としてのＬＥＤ２と、光源の点灯及び消灯を制御する制御部３と、光源からの光の一部を透過するとともに残りの光の光エネルギーを蓄積する蓄光板４と、を備えている。そして、制御部３は、光源をパルス状に発光させることで、省エネルギーであり、かつ、輝度の差が小さい照明装置１となる。これは、点灯時の光源のパルス状（高速）点滅による眼の錯覚と、消灯時の蓄光板４の発光による穴埋め作用とによる。すなわち、光源をパルス状に点滅させることで、電力消費を抑制しつつも適度な明るさを提供できるうえ、光源の消灯時には蓄光板４が発光するため、外部から見て完全に消灯することはない。しかも、大規模災害などで、停電したような場合でも、一定期間は蓄光板４が発光するため、照明装置１としての機能を失うことはない。
【００２６】
さらに、蓄光板４は、光源からの光の一部を透過し、かつ、残りの光の光エネルギーを蓄積することができるため、従来から存在する照明装置の表示板の替わりに蓄光板４を取り付けることができる。
【００２７】
加えて、蓄光板４を外部に露出させて表面に配置することで、光源の消灯時において蓄光板４の光を外部に直接的に提供できるため、特に光源の消灯時に明るい照明装置１となる。また、外部に蓄光板４が露出していることで、通常の停電していない状態では外部環境から光を得ることもできるため、光源が消灯した状態（停電した状態）において、いっそう明るい照明装置１となる。
【００２８】
（２）制御部３は、消灯時間に対して点灯時間が７％〜１５％となるように、換言するとデューティー比が７％〜１５％となるように、光源をパルス状に発光させる（ＰＷＭ制御）ことで、適度な明るさを提供できる。
【００２９】
（３）さらに、点灯時間が０．８ミリ秒〜２．０ミリ秒であることで、人間の眼で見た際に、連続して点灯しているように見えるとともに、必要な明るさを提供できる。このように、蓄光板４を用いることで、通常のＬＥＤ照明と比べて、点灯時間を短く、消灯時間を長くできる。これによって、通常のＬＥＤ照明と比べて約１／１０の電力となる。
【００３０】
（４）光源は、ＬＥＤ２であることで、パルス状に点滅させてもエネルギーを無駄に失うことがないため、省エネルギーの照明装置１となる。しかも、ＬＥＤ２は、長寿命であり、かつ、発熱も少ないため、看板や非常灯や避難誘導灯などの用途に適する。
【００３１】
（５）蓄光板４とＬＥＤ２との間において蓄光板４と平行に配置されて、ＬＥＤ２から入射した光を拡散しつつ透過する拡散透過板５１をさらに備え、ＬＥＤ２は、拡散透過板５１の板面に平行な向きに配置される。このため、少ない光源によっても、ムラのない光を作り出すことができる。さらに、ＬＥＤ２を側方に配置して、拡散透過板５１の板面に垂直に照射することで照明装置１を薄く構成することができる。
【００３２】
（６）照明装置１は、看板、非常灯、避難誘導灯、屋外照明、又は屋内照明のいずれかであることで、いずれの用途に用いても、省エネルギーでありつつ、かつ、輝度の差が小さい照明装置１となる。
【００３３】
以上、図面を参照して、本発明の実施例を詳述してきたが、具体的な構成は、この実施例に限らず、本発明の要旨を逸脱しない程度の設計的変更は、本発明に含まれる。
【００３４】
例えば、実施例では、蓄光板４は主として光源としてのＬＥＤ２からの光エネルギーを蓄積するように説明したが、これに限定されるものではなく、もちろん外部環境からの光エネルギーも蓄積する。
【符号の説明】
【００３５】
１          照明装置
２          ＬＥＤ（光源）
３          制御部
４          蓄光板
５          反射ユニット
５１        拡散透過板
５２、５３  反射板
６          筐体
【図１】
2016085833.tif 000003
【図２】
2016085833.tif 000004
【図３】
2016085833.tif 000005
【図４】
2016085833.tif 000006
【図５】
2016085833.tif 000007
【図６】
2016085833.tif 000008